(57)【要約】【課題】手挿入部の中で、手の向きを変えても、手が手挿入部に接触する事がなく、また、手の乾燥効率が落ちることがないような、手乾燥装置を提供する。【解決手段】手挿入部７を環状に形成し、手挿入部７の外周部の内側に、ノズル１２を環状に形成し、ノズル１２から噴射される流体は、手挿入部７の半径方向には略中心向きに、手挿入部７の軸方向には若干奥向きに噴射されていることを特徴とした手乾燥装置である。【選択図】図３
2015015987.tif 000002
【特許請求の範囲】
【請求項１】
高圧流体を生成する高圧流体発生装置と、手が挿入可能な大きさで環状に形成された手挿入部とを備え、前記手挿入部の外周面の内側に、前記高圧流体発生装置で生成された流体を噴射するノズルが、環状に形成された、手乾燥装置。
【請求項２】
前記ノズルは、前記ノズルから噴射される流体が、前記手挿入部の軸方向に対して、前記手挿入部の半径方向よりも奥寄りに向くように形成された、請求項１に記載の手乾燥装置。
【請求項３】
前記手挿入部は、複数設けられている、請求項１又は２に記載の手乾燥装置。
【請求項４】
前記複数の手挿入部は、そのそれぞれの軸線間の距離が、手前側から奥側に向かうにつれて、短くなるような非並行な向きに配置された、請求項３に記載の手乾燥装置。
【請求項５】
前記ノズルから噴射される前記流体は、気体のみで成る場合と、前記気体に加えて液体が混合される場合とを、切り替えて動作可能にした、請求項１乃至４の何れか１項に記載の手乾燥装置。
【発明の詳細な説明】
【技術分野】
【０００１】
本発明は、高速流体の噴流によって、手を衛生的に乾燥処理する手乾燥装置に関する。
【背景技術】
【０００２】
例えば、特許第４１５３１５４号公報に記載されているように、従来の手乾燥装置では、手挿入部が、本体箱体の上部に、両手を平面内で揃えた状態で斜め上下方向に挿抜できるように、上方と両側方が開放しているシンク状に形成されている。また、濡れた手を乾燥させるためのエアーを噴流するエアーノズルが、手挿入部の対向する位置に、ライン状に形成されている。
【先行技術文献】
【特許文献】
【０００３】
【特許文献１】特許第４１５３１５４号公報
【発明の概要】
【発明が解決しようとする課題】
【０００４】
特許文献１に記載の手乾燥装置では、手挿入部に手を挿入する際、対向して形成されたノズルに、手の掌または手の甲を向けて使用するが、手の掌または手の甲が、対向して形成されたノズルの向きから逸れた場合には、ノズルから噴射されるエアーが、効率良く手に当たらずに、手の乾燥効率が落ちてしまったり、手挿入部の壁に手が当たってしまう、といった欠点があった。このように、手の乾燥が十分でなかったり、手が手挿入部に触れてしまうと、期待されるだけの手の衛生状態が得れない問題が発生していた。
【０００５】
また、濡れた手を乾燥させるためのエアーを噴射するエアーノズルが、手挿入部の対向する位置に配置されているため、手の掌側と手の甲側は乾燥され易いが、手の横側、すなわち、対向するエアーの噴流の向きに対して垂直方向の側は、乾燥され難い、といった欠点があった。
【０００６】
さらに、対向するエアーノズルから噴射されたエアーは、手に当たった後には、手の横側向きに、すなわち、対向するエアーの噴流の向きに対して垂直方向に、急激に向きを変えて流れるため、エアーの乱流を引き起こし、手に付着していた水等の液体が、手や指の横側から飛散し易く、手や手首から吹き飛ばされた水分が再び手に付着したり、装置の周囲を濡らしたりしてしまう、といった欠点があった。
【課題を解決するための手段】
【０００７】
本発明は、上記課題を解決するため、（１）〜（５）に記載する手乾燥装置を提供する。
【０００８】
（１）高圧流体を生成する高圧流体発生装置と、手が挿入可能な大きさで環状に形成された手挿入部とを備え、前記手挿入部の外周面の内側に、前記高圧流体発生装置で生成された流体を噴射するノズルが、環状に形成された、手乾燥装置。
【０００９】
（２）前記ノズルは、前記ノズルから噴射される流体が、前記手挿入部の軸方向に対して、前記手挿入部の半径方向よりも奥寄りに向くように形成された、（１）に記載の手乾燥装置。
【００１０】
（３）前記手挿入部は、複数設けられている、（１）又は（２）に記載の手乾燥装置。
【００１１】
（４）前記複数の手挿入部は、そのそれぞれの軸線間の距離が、手前側から奥側に向かうにつれて、短くなるような非並行な向きに配置された、（３）に記載の手乾燥装置。
【００１２】
（５）前記ノズルから噴射される前記流体は、気体のみで成る場合と、前記気体に加えて液体が混合される場合とを、切り替えて動作可能にした、（１）乃至（４）の何れか１つに記載の手乾燥装置。
【発明の効果】
【００１３】
本発明の手乾燥装置によれば、手挿入部７が環状に形成されているため、手挿入部７の中で、手の甲または手の掌の向きを変えたとしても、手が手挿入部７に接触することがなく、手の衛生状態を保つ事が可能となる。また、ノズル１２から噴射される流体の流れは変化しないため、手の乾燥効率を、良好に保つことが可能となる。さらに、流体の流れが変化しないことは、流体同士の突発的な乱流を防止することができるため、手に付着した水分が突発的に飛び散ることがなく、良好な使用感を保つことが可能となる。
【００１４】
また、手挿入部７が環状に形成されているため、身長の違う人が使用する場合でも、すなわち、手挿入部７に手を挿入する時の、手や手首の角度が異なる場合でも、手挿入部７に手を触れずに、手を手挿入部から挿抜することが容易となる。
【００１５】
また、ノズル１２が環状に形成されているため、手の甲や、手の掌や、手の横側等、手の周辺全体をまんべんなく均一に乾燥させるため、手の乾燥効果を向上させることが可能となる。
【図面の簡単な説明】
【００１６】
【図１】本発明に係る手乾燥装置を示す斜視図
【図２】本発明に係る手乾燥装置を示す上面図
【図３】手挿入部を示す図２のＡ−Ａ線断面図
【図４】手挿入部に手を挿入した状態を示す図２のＢ−Ｂ線断面図
【図５】図２のＣ−Ｃ線断面図
【図６】図２のＤ−Ｄ線断面図
【図７】図２のＥ−Ｅ線断面図
【図８】高圧空気流発生装置を示す図２のＦ−Ｆ線断面図
【発明を実施するための形態】
【００１７】
本発明の実施の形態に係る手乾燥装置の主要な構成について、図１乃至図４を参照して説明する。
【００１８】
なお、以下の説明において、「上」及び「下」とは、水平面に対して垂直な鉛直方向に於ける上及び下をいい、「横」とは、水平面に対して並行な方向をいうものとする。また、「手前」とは、本発明の装置に対して、これを操作する人が位置する側、例えば、図２に於いて下側をいい、「奥」とは、その反対側、例えば、図２に於いて上側をいう。
【００１９】
本発明の実施の形態に係る手乾燥装置の本体は、上側が開口して底部を有する、外郭状の本体箱体１と、本体箱体１の上側開口部を覆う本体蓋２と、本体箱体１の底部の下側に設置された脚３とで構成されている。
【００２０】
本体蓋２は板状に形成されており、その上側面には、縁４が本体蓋２の上側面の少なくとも一部を囲って立脚して設置されている。縁４のうち、手前側の一部には、縁４よりも高さが高く形成された板状のパネル５が、縁４と一体に形成されている。
【００２１】
本体蓋２の上側で、縁４で囲われた領域の外側には、手が挿入可能な大きさに、管が環状に形成された手挿入部７が、パネル５の手前側に隣接して配置され、手挿入部７には、直線状の管で成す管部８が、手挿入部７の前記環状の管に接して連通するように接合されている。管部８の外側の中間部には、フランジ９が接合され、管部８が、本体蓋２を貫通して、フランジ９によって本体蓋２と接合されている。
【００２２】
本体蓋２の下側に突出している管部８の途中には、管部８が手挿入部７と接合されている方向に傾きを持って、導入管１０が、管部８に連通して接合されている。また、管部８の下側の端部には、その中央部に管部８の内径よりも小径に形成された貫通孔を持つ蓋管１１が接合されている。
【００２３】
管が環状に形成された手挿入部７の外周面の内側に、すなわち、手挿入部７に手が挿入された場合、手挿入部７の外周面のうち、手のある方向に向いている面に、一定の細幅を持った環状のノズル１２が形成されている。さらに詳細には、環状に形成されたノズル１２の中心軸は、環状に形成された手挿入部７の中心軸と同軸に配置され、環状に形成されたノズル１２の中心部に手が挿入可能であり、ノズル１２から噴射される流体１２ｂは、手が挿入された場合に、手の周囲の全ての方向から手に向けて流体１２ｂが噴射されるように形成されている。
【００２４】
また、図４に示すように、環状に形成されたノズル１２は、環状に形成された手挿入部７の外周面の内側のうち、手挿入部の軸線の方向に対しては、手挿入部の半径方向よりも若干奥寄りに位置し、ノズル１２から噴射される流体１２ｂの向きも、環状に形成された手挿入部７の外周面の内側のうち、手挿入部の軸線の方向に対しては、手挿入部の半径方向よりも若干奥寄りになるように配置されている。すなわち、環状に形成されたノズル１２は、ノズル１２から噴射される流体１２ｂの向きが、ノズル１２の中心軸に対して、環状の手挿入部７の半径方向より若干奥側に傾きを持つような位置に形成されている。
【００２５】
なお、図３及び図４に於ける太線矢印１２ｂは、流体と流体の流れの向きを概念的に示している。例えば、図３に於いて、ノズル１２から噴射されている流体１２ｂは、数本の太線矢印で示されているが、実際には、環状に形成されたノズル１２の中心位置から見て３６０度全域から、ノズル１２の中心側に向けてまんべんなく噴射されている。
【００２６】
導入管１０は、後述する高圧流体発生装置４１の排気口４１ａに接合されており、導入管１０からは、排気口４１ａから排気される流体が管部８に導入されている。ここで、導入管１０から管部８に導入される流体とは、気体をいい、例えば、空気が挙げられる。蓋管１１は、これと接合される配管類を通じて後述するタンク２１と連通しており、蓋管１１の中央部に形成された貫通孔からは、タンク２１に溜まっている液体が噴霧状に管部８に導入され、この液体は、前記流体と混合して、前記流体と共に、管部８を通じて手挿入部７の管内に送流されている。ここで、液体とは、洗浄効果または消毒効果または殺菌効果を有する液体をいい、例えば、洗浄液、アルコール液、オゾン水、が挙げられる。
【００２７】
管部８と手挿入部７の管内に送流されている、導入管１０から導入された前記流体と、蓋管１１に形成された貫通孔から導入された前記液体とが混合してなる流体１２ｂは、環状に形成されたノズル１２から、ノズル１２の半径方向には略中心向きに、軸方向には若干奥向きに、噴射されている。尚、図３に於いて、太線矢印１０ｂは、導入管１０から管部８に導入される前記流体と前記流体の流れの向きを概念的に示し、太線矢印１１ｂは、蓋管１１の中央部に形成された貫通孔から導入される前記液体と前記液体の流れの向きを概念的に示し、太線矢印１１ｃは、前記液体１１ｂが、噴霧状となって管部８に導入されている状態と、その状態での噴霧の向きを概念的に示している。また、複数の太線矢印１２ｂは、環状に形成されたノズル１２から、ノズル１２の中心側に向けて噴射されている前期流体と前記流体の流れの方向を概念的に示している。
【００２８】
ここで、手挿入部７は、左右に２個設けられ、それぞれの手挿入部７の中心軸線は、左右それぞれの手を左右それぞれの手挿入部７に挿入して、手の掌同士を擦り合わせた状態での手首の軸線と、略同軸になるように設置されることが望ましい。
【００２９】
詳しくは、前記２個設けられた、それぞれの手挿入部７同士の向きは、手挿入部７の中心軸線同士の距離が、手前側から奥側に向かうにつれて近づくような非並行な向きで、手挿入部７同士の間隔は、略肩幅に設置されていることが望ましい。
【００３０】
次に、図５を参照して、高圧流体発生装置４１からノズル１２に連通する配管類の構成について説明する。本体箱体１の底板には、高圧流体発生装置４１が設置され、高圧流体発生装置４１で生成された高圧流体を排気する排気口４１ａには、配管１５が接続され、配管１５の他端には、１つの導入管部を２つの排出管部に分岐させる、二股分岐管１４の１つの導入管部が接合されている。この１つの導入管部は、二股分岐管１４によって、２つの排出管部に分かれ、それぞれの排出管部には、接続管１３が接続され、それぞれの接続管１３の他端は、導入管１０と接合されている。
【００３１】
すなわち、高圧流体発生装置４１で生成された高圧流体は、排気口４１ａから、配管１５、二股分岐管１４、２つの接続管１３、２つの導入管１０、２つの管部８、２つの環状に形成された管で成る手挿入部７を通じて、２つのノズル１２から噴射される。なお、高圧流体発生装置４１は、スイッチによって作動と非作動の切り替えが可能であり、高圧流体発生装置４１を作動させると、前述したように、高圧流体発生装置４１で生成された流体は、ノズル１２から噴射され、高圧流体発生装置４１を非作動に切り替えると、ノズル１２から前記流体の噴射が止まる。
【００３２】
次に、図６を参照して、タンク２１からノズル１２に連通する配管類の構成について説明する。本体箱体１の底板には、タンク２１が設置され、タンク２１には液体が貯留されている。タンク２１の内部には、配管２０が挿入され、配管２０の他端には、ポンプ１９が接合されている。ポンプ１９には、配管１８が接合され、配管１８の他端には、１つの導入管部を２つの排出管部に分岐させる、二股分岐管１７の１つの導入管部が接合されている。この１つの導入管部は、二股分岐管１７によって、２つの排出管部に分かれ、それぞれの排出管部には、接続管１６が接続され、それぞれの接続管１６の他端は、蓋管１１と接合されている。ポンプ１９は、例えば電磁ポンプ等で構成され、ポンプ１９が作動すると、配管２０にある液体を、配管１８に向けて移送させる。このポンプ１９によるポンプ作用により、タンク２１に貯留している液体が、配管２０に組み上げられる。
【００３３】
すなわち、タンク２１に貯留されている液体は、高圧流体発生装置４１が作動している状態で、かつ、ポンプ１９が作動している状態では、配管２０、ポンプ１９、配管１８、二股分岐管１７、２つの接続管１６、２つの蓋管１１を通じて、噴霧状となって２つの管部８に投入され、前記噴霧状となって２つの管部８に投入された液体は、高圧流体発生装置４１で生成された流体と共に、２つの環状に形成された管で成る手挿入部７を通じて、２つのノズル１２から噴射される。尚、ポンプ１９は、スイッチによって作動と非作動の切り替えが可能であり、高圧流体発生装置４１が作動している状態に於いて、ポンプ１９を作動させると、前述したように、タンク２１に貯留している液体は、ノズル１２から噴射され、ポンプ１９を非作動に切り替えると、ノズル１２から前記液体の噴射が止まる。
【００３４】
次に図７と図８を参照して、本発明の実施の形態に係る手乾燥装置の、ここまでに説明されてなかった、配管等の構成を説明する。
【００３５】
パネル５には、手挿入部７に対応した穴５ａが形成されている。手挿入部７は、パネル５の手前側に隣接して配置され、穴５ａの径は、手挿入部７の環径と略同一で、穴５ａは手挿入部７と連通する位置に配置されている。すなわち、穴５ａは、穴５ａによって手挿入部７とパネル５の奥側に形成された隔離空間６とが連通し、穴５ａによってノズル１２から噴射される流体の流れが阻害されることはなく、また、手挿入部７とパネル５との間には隙間がないように、形成されている。
【００３６】
本体蓋２の上面には、縁４とパネル５の内周面に隣接して、下側が開口した外郭状のカバー４０が設置されている。カバー４０の手前側の一部分は、パネル５に対応した形状で切り欠きが形成されており、カバー４０は、カバー４０によって、穴５ａを塞ぐことなく、かつ、パネル５及び縁４との間に隙間がないように形成されて配置している。すなわち、本体蓋２と、縁４とパネル５と、カバー４０とで協同して作られる隔離空間６は、穴５ａを除いて、外気と隔離されている。尚、環状の手挿入部７は、穴５ａと隙間無く隣接しているため、手挿入部７の外周面の内周部に環状に設置されているノズル１２から流体が噴射されると、この流体は、環状に形成されたノズル全域から、隔離空間６の内部に向けて若干の角度を持って噴射されるため、エアーカーテンの効果を有し、このエアーカーテンの効果によって、隔離空間６は、外気とほぼ完全に隔離されることになる。
【００３７】
本体蓋２の上側には、蛇口管３４が、本体蓋２に固定されてカバー４０の内部に設置されている。蛇口管３４の一方の下側端部には、配管３６が接続され、配管３６は、本体箱体１から外部に延出して、水道管に接合されている。蛇口管３４の他端には、水道管から送流された水が、散布されて排水される、排水口３５が接合されている。尚、排水口３５は、２個の手挿入部７から左右それぞれの手を挿入して、カバー４０の内部で手を揉み合わせた時に、この揉み合わせた手の真上に配置されていることが望ましく、排水口３５から散布される水は、前記揉み合わせた手にまんべんなく降りかかるように構成されることが望ましい。
【００３８】
このように、隔離空間６の内部で、両手を揉み合わせながら、排水口３５から散布される水で手を洗ったとしても、ノズル１２から噴射される流体によるエアーカーテンの効果によって、隔離空間６の内部で飛び散った水は、穴５ａを通じて、手挿入部７から手前側の外部に漏れることがない。
【００３９】
本体蓋２の平面部のうち、縁４で囲われる領域には、排出口２２が形成され、排出口２２には、排出口蓋２３が脱落不能に挿入されている。排出口２３には、隔離空間６で発生し得る、塵、埃、ゴミ等の固体のみを排出させることなく受け止め、水や流体のみを通過させる、多数の小穴、または、メッシュが形成されている。
【００４０】
本体蓋２の下側には、ドレイタンク２４が形成されており、隔離空間６は、排水口２２を通じてドレイタンク２４と連通している。排水口２５から散布された水や、ノズル１２から噴射された流体は、排出口２２からドレイタンク２４に送流される。
【００４１】
ドレイタンク２４の底板２５には、排水口２７が形成され、排水口２７には、配管２８が接合されている。配管２８の途中には、上下方向にＵ字状形成された、Ｕ字部２８ａが形成されており、Ｕ字部２８ａには、排水口３５から散布された水が、排出口２２、ドレイタンク２４、排水口２７を通じて送流され、常に溜まっている。尚、このＵ字部に常に溜まっている水は、図７に於いて、２８ｂとして示している。Ｕ字部２８ａには、水２８ｂが常に溜まっているため、ドレイタンク２４、及び、隔離空間６は、配管２８を通じて外気と連通することはない。
【００４２】
ドレイタンク２４の側板２６には、曲管３１が側板２６を突き抜けて配置され、曲管３１のドレイタンク側に突き抜けている端部には、下側に開口部を持つ吸気管３２が接合され、曲管３１の他端には、配管３３が接合され、配管３３は、高圧流体発生装置４１の吸気口４１ｂに接続されている。すなわち、吸気口３２は、曲管３１、配管３３を通じて、高圧流体発生装置４１の吸気口４１ｂと連通しており、高圧流体発生装置４１が作動すると、ドレイタンク２４内部にある空気は、吸入管３２から吸入される。尚、吸気管３２の開口部は、底板２５に対して、所定の高さを有しているため、排水口３５から散布される水がドレイタンク２４の底板２５の上側に溜まったとしても、この水が吸気管３２から吸い込まれる事はない。すなわち、排出口２２を通過する際には液体と気体が混合されていたとしても、排水口２７を通過ものは液体のみ、吸気口３２を通過するものは気体のみ、とに分離される。
【００４３】
ここで、高圧で生成される流体の流れを見てみると、この流体は、高圧流体発生装置４１の排気口４１ａから配管１５等を通じて手挿入部に送流されてノズル１２から噴射され、ノズル１２から噴射された流体は、隔離空間６、ドレイタンク２４等を通じて、吸気管３２から吸気され、高圧流体発生装置４１の吸気口４１ｂまで帰される、といった循環を繰り返している。この時、吸気管３２の吸気力は、Ｕ字管２８ａに溜まっている水２８ｂを引き上げる程に強くなく設定すると、隔離空間６、及び、ドレイタンク２４は、外気と隔離されるため、高圧流体発生装置４１を作動させたとしても、外気から新たに装置内に侵入してくる空気は殆どない。
【００４４】
次に、図７を参照して、高圧流体発生装置４１、及び、ポンプ１９の、作動の形態を説明する。
【００４５】
パネル５には、手挿入部７に手が挿入されたことを感知するセンサー３８を支えるセンサー支柱２７が接合されている。センサー３８が、手挿入部７に手が挿入され始めたことを感知すると、高圧流体発生装置４１、及び、ポンプ１９が作動され、ノズル１２からは、高圧流体発生装置４１で生成された流体（気体）とタンク２１に貯留されている液体とが混合された流体が噴射されて、手洗いに必要な準備を整える。
【００４６】
次に、センサー３８が、手挿入部７に手が挿入し終わったことを感知すると、ポンプ１９の作動が止められ、蛇口管の開閉を制御する制御弁（図示せず）が開かれ、排水口３５から水が散布されて、隔離空間６の中で、手の揉み洗いが可能となる。
【００４７】
次に、センサー３８が、手挿入部７に手があって、かつ、手が引き戻されることを感知すると、蛇口管の開閉を制御する制御弁（図示せず）が閉じられ、高圧流体発生装置４１強く作動させ、ノズルから噴射されている流体の力によって、手に付着した水分を、手挿入部７より奥側へまんべんなく飛ばし、手がまんべんなく乾燥される。
【００４８】
上記では、センサー３８の感知によって、高圧流体発生装置４１、及び、ポンプ１９、及び、蛇口管３４の開閉を制御する制御弁の動作の切り替えを行っているが、装置本体に手動スイッチを備え、この手動スイッチによって、高圧流体発生装置４１、や、ポンプ１９、や、蛇口管３４の開閉を制御する制御弁の動作の切り替えを行っても良い。
【００４９】
また、ノズル１２が環状に形成されているため、ノズル１２からの流体の噴射は、手の周囲全域にわたって均一に行われるため、この流体同士が衝突して発生する乱流が抑制され、手に付着していた水等の液体が、飛散し難くなり、手挿入部７を衛生的に維持することが可能となると共に、良好な使用感を保つことが可能となる。また、ノズル１２から噴射される流体１２ｂは、手挿入部７の内部に向けて全方位にまんべんなく噴射されるため、エアーカーテンとしての効果が高く、手に付着した水分や、隔離空間に在る液体や気体等が、手挿入部７から、外部に向かって飛び出すことが抑制され、手挿入部７を衛生的に維持することが可能となる。
【符号の説明】
【００５０】
１…本体箱体、２…本体蓋、３…脚、４…縁、５…パネル、６…隔離空間、７…手挿入部、８…管部、９…フランジ、１０…導入管、１１…蓋管、１２…ノズル、１３…接続管、１４…二股分岐管、１５…配管、１６…接続管、１７…二股分岐管、１８…配管、１９…ポンプ、２０…配管、２１…タンク、２２…排出口、２３…排出口蓋、２４…ドレイタンク、２５…底板、２６…側板、２７…排水口、２８…配管、３１…曲管、３２…吸気管、３３…配管、３４…蛇口管、３５…排水口、３６…配管、３７…センサー支柱、３８…センサー、４０…カバー、４１…高圧流体発生装置、４２…手、
【図１】
2015015987.tif 000003
【図２】
2015015987.tif 000004
【図３】
2015015987.tif 000005
【図４】
2015015987.tif 000006
【図５】
2015015987.tif 000007
【図６】
2015015987.tif 000008
【図７】
2015015987.tif 000009
【図８】
2015015987.tif 000010
【手続補正書】
【提出日】平成26年11月10日(2014.11.10)
【手続補正１】
【補正対象書類名】特許請求の範囲
【補正対象項目名】全文
【補正方法】変更
【補正の内容】
【特許請求の範囲】
【請求項１】
高圧流体を生成する高圧流体発生装置と、手が挿入可能な大きさで管が環状に形成された手挿入部とを備え、前記手挿入部には、直線状の管で成す管部が、前記手挿入部の環状接線方向に接して連通するように接合されているとともに、前記手挿入部の外周面の内側に、前記高圧流体発生装置で生成された流体を噴射するノズルが、環状に形成された、手乾燥装置。
【請求項２】
前記ノズルは、前記ノズルから噴射される流体が、前記手挿入部の軸方向に対して、前記手挿入部の半径方向よりも奥寄りに向くように形成された、請求項１に記載の手乾燥装置。
【請求項３】
前記手挿入部は、複数設けられている、請求項１又は２に記載の手乾燥装置。
【請求項４】
前記複数の手挿入部は、そのそれぞれの軸線間の距離が、手前側から奥側に向かうにつれて、短くなるような非並行な向きに配置された、請求項３に記載の手乾燥装置。
【手続補正２】
【補正対象書類名】明細書
【補正対象項目名】０００７
【補正方法】変更
【補正の内容】
【０００７】
本発明は、上記課題を解決するため、（１）〜（４）に記載する手乾燥装置を提供する。
【手続補正３】
【補正対象書類名】明細書
【補正対象項目名】０００８
【補正方法】変更
【補正の内容】
【０００８】
（１）高圧流体を生成する高圧流体発生装置と、手が挿入可能な大きさで管が環状に形成された手挿入部とを備え、前記手挿入部には、直線状の管で成す管部が、前記手挿入部の環状接線方向に接して連通するように接合されているとともに、前記手挿入部の外周面の内側に、前記高圧流体発生装置で生成された流体を噴射するノズルが、環状に形成された、手乾燥装置。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
本発明の手乾燥装置によれば、手挿入部７は、管が環状に形成されているため、手挿入部７の中で、手の甲または手の掌の向きを変えたとしても、手が手挿入部７に接触することがなく、手の衛生状態を保つ事が可能となる。また、ノズル１２から噴射される流体の流れは変化しないため、手の乾燥効率を、良好に保つことが可能となる。さらに、流体の流れが変化しないことは、流体同士の突発的な乱流を防止することができるため、手に付着した水分が突発的に飛び散ることがなく、良好な使用感を保つことが可能となる。
【手続補正６】
【補正対象書類名】明細書
【補正対象項目名】００１４
【補正方法】変更
【補正の内容】
【００１４】
また、手挿入部７は、管が環状に形成されているため、身長の違う人が使用する場合でも、すなわち、手挿入部７に手を挿入する時の、手や手首の角度が異なる場合でも、手挿入部７に手を触れずに、手を手挿入部から挿抜することが容易となる。
【手続補正７】
【補正対象書類名】明細書
【補正対象項目名】００２１
【補正方法】変更
【補正の内容】
【００２１】
本体蓋２の上側で、縁４で囲われた領域の外側には、手が挿入可能な大きさに、管が環状に形成された手挿入部７が、パネル５の手前側に隣接して配置され、手挿入部７には、直線状の管で成す管部８が、手挿入部７の前記環状の管の環状接線方向に接して連通するように接合されている。管部８の外側の中間部には、フランジ９が接合され、管部８が、本体蓋２を貫通して、フランジ９によって本体蓋２と接合されている。